(57)【特許請求の範囲】
【請求項１】
ヘルメット本体（２）の左右両側に回動支持部（５）が設けられ、ヘルメット正面をカバーするシールド（３）にはその左右両端部に上記左右の回動支持部（５）に対し回動自在な状態を保持して係合する回動部（６）が設けられて、これら回動支持部（５）と回動部（６）とが係合離脱自在とされたヘルメットのシールド取付構造において、
上記回動支持部（５）と回動部（６）との相対間には、ヘルメット本体（２）に対してシールド（３）を開放位置へ跳ね上げた状態でシールド（３）をヘルメット本体（２）から前方斜め上方へ引き出す操作で離脱可能とし且つ分離状態にあるシールド（３）をヘルメット本体（２）へ向けて後方斜め下方へ押し込む操作で係合可能とするガイド手段（２７）が設けられており、
シールド（３）には、継続して押し続けたときにのみ左右の各回動部（６）と回動支持部（５）とを係合状態から離脱状態へと切替可能にするアンロック操作部（８）が設けられており、
前記アンロック操作部（８）は、２本の並行するスリット（４２）とこれら両スリット（４２）の一端部同士を繋ぐスリット連結部（４３）とでそれらによって片持ち状に囲まれる短冊状の弾性舌片（４４）を形成させ、この弾性舌片（４４）のスリット連結部（４３）寄りにシールド（３）外面側で膨出するボタン（４５）を設けたものであることを特徴とするヘルメットのシールド取付構造。
【請求項２】
前記アンロック操作部（８）のボタン（４５）は、回動部（６）の近傍であって且つ回動部（６）と回動支持部（５）とが相対回動する中心からは偏心して位置付けられていることを特徴とする請求項１記載のヘルメットのシールド取付構造。
【請求項３】
前記ボタン（４５）は、ヘルメット本体（２）に対してシールド（３）を閉じ位置へ降ろした状態のときに正面から受ける空気抵抗を減少可能となる流面形として膨出形成されており、且つヘルメット本体（２）に対してシールド（３）を開放位置へ跳ね上げた状態ではヘルメット本体（２）に対してシールド（３）を着脱する方向性を指示する矢符形状に形成されていることを特徴とする請求項１又は請求項２記載のヘルメットのシールド取付構造。
【請求項４】
前記シールド（３）は、シールド本体とこれとは別部品化されたアンロック操作部（８）とを互いに結合することによって形成されていることを特徴とする請求項１乃至３のいずれかに記載のヘルメットのシールド取付構造。
【発明の詳細な説明】
【技術分野】
【０００１】
本発明は、ヘルメットのシールド取付構造に関するものである。
【背景技術】
【０００２】
フルフェースタイプのヘルメット等では、ヘルメット本体の正面に設けられた目出し用開口を開閉できるようにシールドが取り付けられているのが普通である。このシールドは、走行中に虫や小石がぶつかって傷や汚れがついたとき、或いは色やデザイン変更のときなどの交換ができるように、ヘルメット本体に対して簡単に着脱できるような取付構造になっている。【０００３】
従来の取付構造としては、ヘルメット本体の左右両側に回動支持部が設けられ、シールドの左右両端部に左右の回動支持部に回動自在に係合する回動部が設けられて、これら回動支持部と回動部とが、ヘルメット本体に対してシールドの左右両端部を左右方向外方へ引き離す操作で離脱可能とされていると共に分離状態にあるシールドの左右両端部をヘルメット本体へ向けて左右方向内方（左右の対向方向）へ押し込む操作で係合可能とされたものが知られている（例えば、特許文献１等参照）。【０００４】
ところで、ヘルメットを被って通常の使用をしている最中（運転中など）にシールドが勝手に外れてしまわないよう、回動支持部と回動部とが係合している状態はロックできる構造としてあるが、上記従来の取付構造においてこのロックを外すには、ロック用の操作ツマミをヘルメット本体の外面に沿って下方へ押し下げるものとなっていた。そしてこの操作ツマミは、ヘルメット本体側に上下動自在な状態で取り付けられたものであった。
【特許文献１】特公平７−３５６０１号公報
【発明の開示】
【発明が解決しようとする課題】
【０００５】
上記した従来公知のシールド取付構造において、シールドをヘルメット本体から外すには操作ツマミを下方へ押し下げたまま、シールドの両端部を左右両外側へ引き離すようにしなければ、回動支持部から回動部を離脱させることができなかった。
この場合、ロック解除のために操作ツマミを操作する方向（上下方向）と、シールドの左右両端部をヘルメット本体から引っ張り出す方向（左右方向）とは全く異なるばかりでなく、操作者には、操作ツマミを操作した手指をヘルメット本体へ添えたまま（ヘルメット本体から手指を離すことなく）、シールドの左右両端部を把持した手全体としては左右外方へ引き離すという、非常に不自然で無理な動作（同じ手の手指を複雑且つ大股に広げるような動き）が要求される。そのため、シールドの着脱が非常にやり難いということがあった。【０００６】
また、操作ツマミを設ける関係上、この操作ツマミを未操作位置へ付勢保持させるためのコイルスプリングなど、部品点数の多い構造にせざるを得ず、組み立てが面倒であると共に製作コストが高コストになるという欠点があった。
本発明は、上記事情に鑑みてなされたものであって、シールドの着脱が迅速且つ簡単に行えるようにしたヘルメットのシールド取付構造を提供することを目的とする。また本発明は、ヘルメットとしての組み立てが容易で且つ低コスト化が図れるようにしたヘルメットのシールド取付構造を提供することを目的とする。
【課題を解決するための手段】
【０００７】
前記目的を達成するために、本発明は次の手段を講じた。
即ち、本発明に係るヘルメットのシールド取付構造は、ヘルメット本体の左右両側に回動支持部が設けられ、ヘルメット正面をカバーするシールドにはその左右両端部に上記左右の回動支持部に対し回動自在な状態を保持して係合する回動部が設けられて、これら回動支持部と回動部とが係合離脱自在とされたものであって、回動支持部と回動部との相対間には、ヘルメット本体に対してシールドを開放位置へ跳ね上げた状態でシールドをヘルメット本体から前方斜め上方へ引き出す操作で離脱可能とし且つ分離状態にあるシールドをヘルメット本体へ向けて後方斜め下方へ押し込む操作で係合可能とするガイド手段が設けられており、シールドには、継続して押し続けたときにのみ左右の各回動部と回動支持部とを係合状態から離脱状態へと切替可能にするアンロック操作部が設けられている。【０００８】
このように本発明においてシールドは、ヘルメット本体に対して開放位置へ跳ね上げた状態で着脱するものであり、またその着脱は、跳ね上げ状態にあるシールドをヘルメット本体から前方斜め上方へ引き出す操作で離脱可能とし、且つ分離状態にあるシールドをヘルメット本体へ向けて後方斜め下方へ押し込む操作で係合可能とする方向で行うようになっている。【０００９】
そしてアンロック操作部は、シールドに対して設けられたものとしてあり、しかもこのアンロック操作部は、押し操作によって回動支持部と回動部との離脱、即ち、係合状態からのロック解除ができるようになっている。
このようなことから、ヘルメット本体からシールドを外す場合、操作者はまずシールドを開放位置へ跳ね上げたうえで、シールドの左右両端部へ左右の手を添え、この左右の手の手指で各アンロック操作部を押し操作し、そのままシールドをヘルメット本体の前方斜め上方へと引き出せばよいことになる。
このとき、シールドに添えた手とアンロック操作部を押し操作している手指とは一緒にヘルメット本体から離反させる動作となる。そのため、操作者は手指を複雑且つ大股に開かせる等といった不自然な動きを要求されたものではなく、極めて自然な動きによってシールドの着脱ができるものである。【００１０】
アンロック操作部は、２本の並行するスリット（平行だけでなく非平行も含む）と、これら両スリットの一端部同士を繋ぐスリット連結部とでそれらによって片持ち状に囲まれる短冊状の弾性舌片を形成させ、この弾性舌片のスリット連結部寄りにシールド外面側で膨出するボタンを設けたものとするのが好適である。
このような構造にすることで、アンロック操作部を簡潔構造にでき、組み立ても容易に行えるようになる。また弾性舌片自体に未操作時の自己復帰力（弾性力）があるため、復帰用のバネなどは不要であり、部品点数を少なく抑えることができる。これらのことから低コスト化も図れる。【００１１】
アンロック操作部のボタンは、回動部の近傍であって且つ回動部と回動支持部とが相対回動する中心からは偏心して位置付けとするのが好適である。
このようにすることで、ヘルメット本体に対してシールドを開放位置へ跳ね上げた状態にしなければ、シールドの着脱ができない、といった使い方を可能にできる。すなわち、シールドの着脱操作位置を制限できるので、誤った動作でシールドを外してしまうことの防止に繋がる。【００１２】
ボタンは、ヘルメット本体に対してシールドを閉じ位置へ降ろした状態のときに正面から受ける空気抵抗を減少可能となる流面形として膨出形成されており、且つヘルメット本体に対してシールドを開放位置へ跳ね上げた状態ではヘルメット本体に対してシールドを着脱する方向性を指示する矢符形状に形成されたものとするのが好適である。
このようにすることで、シールドを閉じた状態での使用下（ヘルメットを被ってオートバイ等を運転する場合）において、風きり音の低減乃至解消が図れ、またシールドのガタツキも防止できる利点がある。しかも、ボタンの形成位置や矢符形状によって指し示す方向から、シールドの着脱位置やシールドの向きなどを理解できるので、その点でもシールドの着脱が容易になる。【００１３】
シールドは、シールド本体とこれとは別部品化されたアンロック操作部とを互いに結合することによって形成するのが好適である。
すなわち、アンロック操作部を別部品化するものであって、これによりアンロック操作部の製作が容易となる。また万が一、アンロック操作部だけが破損した場合やシールド本体だけが破損した場合に、それらだけを個別に交換することができるようになり、維持費面での低コストが図れる。
【発明の効果】
【００１４】
本発明に係るヘルメットのシールド取付構造では、シールドの着脱が迅速且つ簡単に行えるようになる。またヘルメットとしての組み立てが容易で且つ低コスト化が図れるものとなる。
【図面の簡単な説明】
【００１５】
【図１】図１は本発明に係るシールド取付構造を具備して成るヘルメットの一実施形態を示した側面図である。
【図２】図２はヘルメット本体からシールドを外す過程を示した側面図である。
【図３Ａ】図３Ａはヘルメット本体に設けられる回動支持部を示した側面図である。
【図３Ｂ】図３Ｂは図３Ａ中のＡ−Ａ線断面図である。
【図４Ａ】図４Ａはシールドに設けられる回動部をシールドの内側から示した側面図である。
【図４Ｂ】図４Ｂは図４Ａ中のＢ−Ｂ線矢視図である。
【図４Ｃ】図４Ｃは図４Ａ中のＣ−Ｃ線矢視図である。
【図５Ａ】図５Ａは回動支持部と回動部との係合状態の側面図である。
【図５Ｂ】図５Ｂは回動支持部と回動部との係合離脱の途中の状態の側面図である。
【図５Ｃ】図５Ｃは回動支持部と回動部との離脱状態の側面図である。
【符号の説明】
【００１６】
１  ヘルメット
２  ヘルメット本体
３  シールド
５  回動支持部
６  回動部
８  アンロック操作部
２７  ガイド手段
４２  スリット
４３  スリット連結部
４４  弾性舌片
４５  ボタン
【発明を実施するための最良の形態】
【００１７】
以下、本発明の実施の形態を、図面に基づき説明する。
図１乃至図５Ｃは本発明に係るシールド取付構造を具備して成るヘルメット１の一実施形態を示している。図１及び図２に示すように、ヘルメット１はヘルメット本体２とこのヘルメット本体２の正面をカバーするシールド３とを有している。シールド３は、例えばポリカーボネイト等のカーボンを含んだ透明乃至着色透明の樹脂、或いはハーフミラーやマジックミラーなどの処理が施された透明樹脂によって形成されている。【００１８】
ヘルメット本体２の左右両側には回動支持部５が設けられ、シールド３の左右両端部には左右の回動支持部５に対し回動自在な状態を保持して係合する回動部６が設けられており、これら回動支持部５と回動部６との係合状態下において、ヘルメット本体２に対してシールド３を跳ね上げてヘルメット正面を開放したり、反対にシールド３を下げ降ろしてヘルメット正面を閉じたりできるようになっている。
なお、本実施形態のヘルメット本体２はフルフェース型としてあり、正面には顎ガード部２ａが設けられ、これによって独立した開口となる目出し用開口７が形成されている。この目出し用開口７が、シールド３の上げ下げによって開閉されることになる。【００１９】
回動支持部５と回動部６とは必要に応じて係合離脱自在とされており、シールド３に傷や汚れがついたとき、或いは色やデザイン変更のときなどにシールド３の交換が自由に行えるようになっている。このためシールド３には、この交換時に操作するアンロック操作部８が設けられている。
本発明に係るシールド取付構造において、シールド３の交換は、ヘルメット本体２に対してシールド３を開放位置へ跳ね上げたうえで行うことが限定されている。シールド３をヘルメット本体２から外す方向（即ち、回動支持部５から回動部６を離脱する方向）は、シールド３をヘルメット本体２から前方斜め上方へ引き出す方向としてあり、またヘルメット本体２に対してシールド３を取り付ける方向（即ち、回動支持部５へ回動部６を係合する方向）は、分離状態にあるシールド３をヘルメット本体２へ向けて後方斜め下方へ押し込む方向としてある。【００２０】
回動支持部５は、図３Ａ，図３Ｂに示すようにヘルメット本体２の外面上で短円筒状に突出するようになるボス部１０と、このボス部１０の突端部から径方向外方へ張り出す外フランジ部１１と、ボス部１０の中心から所定の径方向に沿って延びる係止舌片１２と、ボス部１０の中心から係止舌片１２の先端までを半径としつつこの係止舌片１２から上方へ円弧形に延びる係止継続壁１３とを有している。
なお、本実施形態において回動支持部５はヘルメット本体２とは別部品として形成されたベース盤１４に一体形成されたものとし、このベース盤１４は、ボス部１０の中央部を円形に凹ませて設けたネジ取付部１５や、ボス部１０の下方側へ離れた部位に設けたネジ取付部１６へ取付ネジ１７（図２にのみ示した）を差し込んで、ヘルメット本体２へ固定する構造としてある。【００２１】
外フランジ部１１はボス部１０の全周に設けられたものではなく、上記したようにシールド３をヘルメット本体２から外したり取り付けたりするときの方向線（ボス部１０の中心を通る仮想線とおいて以下これを「着脱軸線Ｐ」と言う：図２をも併せて参照）に対し、その両側に振り分けられるように１対（２つ）設けられている。
係止舌片１２はボス部１０側を根本としてボス部１０内のネジ取付部１５と繋がった状態にあり、延出方向の両側や先端側はフリーとされたもので、ボス部１０の突出方向（筒軸方向）に沿って板バネ様に弾性変形自在となっている。
【００２２】
係止継続壁１３はベース盤１４に一体的に設けられており、係止舌片１２とは異なって弾性変形は許容されていない。なお、ベース盤１４には係止舌片１２の先端及び係止継続壁１３に面するようにして所定幅のカーブ溝１８が形成されるようになっており、このカーブ溝１８の両端で回動制限壁１９を形成させるようになっている。この回動制限壁１９の作用については後述する。
一方、図４Ａ（シールド３の一端側を内側から見た図）に示すように、回動部６はシールド３の内面でリブ状に突出するハウジング部２０と、このハウジング部２０の突端部から径方向内方へ張り出す内フランジ部２１と、ハウジング部２０の中心から所定の径方向に離れた位置においてシールド３の内面で突出する係止片２２とを有している。【００２３】
ハウジング部２０は半円周分の曲線部２０ａとこの曲線部２０ａの両端側で相互平行状に延び出す直線部２０ｂとを有して馬蹄形に形成されているが、曲線部２０ａの中央部は２つに分断され、結果、曲線部２０ａの半分と片側の直線部２０ｂとを組合せて成るものが対称配置で一対（２つ）設けられた状態となっている。
ハウジング部２０は、直線部２０ｂが上記着脱軸線Ｐと平行するように馬蹄形全体が傾いた配置とされている。曲線部２０ａの内径や直線部２０ｂの相互間隔（図４Ｃ中にＤで示した寸法）は回動支持部５の二つの外フランジ部１１を同時にガタツキなく外嵌できる寸法として形成され、また両側の内フランジ部２１の内法（図４Ｃ中にｄで示した寸法）は回動支持部５のボス部１０をガタツキなく外嵌できる寸法として形成されている。【００２４】
係止片２２は上記着脱軸線Ｐ上に配置されており、且つ、ハウジング部２０の両曲線部２０ａ内に回動支持部５のボス部１０及び外フランジ部１１が外嵌されるときに、係止舌片１２の先端と係合する位置付け及び突出量とされている。
このようなことから、回動支持部５のボス部１０及び外フランジ部１１に対し、回動部６のハウジング部２０（曲線部２０ａ）及び内フランジ部２１が外嵌されたとき、回動支持部５と回動部６とが回動自在にガイドされるようになり、また回動支持部５の外フランジ部１１と回動部６の内フランジ部２１との係合及び係止舌片１２や係止継続壁１３と係止片２２との係合との共同作用により、回動支持部５と回動部６との外嵌状態が保持される（離脱防止される）ようになっている。
【００２５】
なお、回動支持部５を形成しているベース盤１４には、ボス部１０を取り囲むように周壁２５が設けられており、ボス部１０と周壁２５との間に周溝２６が形成されるようになっている。この周溝２６は、着脱軸線Ｐに沿う方向で両方の側部が開通された状態にあり、この開通部分によって回動部６のハウジング部２０がスライド状態で出入りできるようになっている。すなわち、この周溝２６により、回動支持部５のボス部１０と回動部６のハウジング部２０との相対間に、回動支持部５に対する回動部６の係合離脱方向を規制するためのガイド手段２７が形成されていることになる。
また回動支持部５には、上記した周壁２５よりも更に外方側（ベース盤１４の外周面側）にアーチ状に架け渡された板バネ部３０が設けられ、この板バネ部３０に対して半円状に突出する位置決め突起３１が設けられている。従ってこの位置決め突起３１は、板バネ部３０によるバネ力を受けてボス部１０の径方向に沿った弾性バックアップ作用を生じるようになっている。
【００２６】
これに対して回動部６には、回動支持部５のボス部１０に回動部６のハウジング部２０（曲線部２０ａ）が外嵌されて両者が回動自在な状態にあるときに、回動支持部５の位置決め突起３１の円周移動軌跡に沿うような位置付けで角度設定リブ３２が設けられている。この角度設定リブ３２は、位置決め突起３１の半円形と巧く馴染んでこれと軽快に係合したり離脱したりできる半円形の位置決め凹部３２ａが複数並んで波形を呈するようになったものである。
従って、回動支持部５のボス部１０に対して回動部６のハウジング部２０が回動するとき、回動部６の位置決め突起３１が板バネ部３０の弾性バックアップ作用を受けつつ、回動支持部５の角度設定リブ３２に対して各位置決め凹部３２ａに嵌ったり隣位へ乗り越えたりしながら移動するようになり、個々の位置決め凹部３２ａ内にて位置決め状態が得られるものである。これにより、ヘルメット本体２に対するシールド３の跳ね上げ角度（開度）を適調節できることになる。
【００２７】
なお、この回動支持部５のボス部１０に対して回動部６のハウジング部２０が回動するときにあって、回動支持部５のベース盤１４に設けられたカーブ溝１８内を回動部６に設けられた係止片２２が円弧移動するようになるが、シールド３の開閉は、カーブ溝１８の両端の回動制限壁１９に対して係止片２２が当接することをもって規制されることになる。この規制範囲は、シールド３をヘルメット本体２に対して着脱する状態が開放側の上限とされ、シールド３でヘルメット本体２の目出し用開口７を全閉する状態が閉鎖側の下限とされている。
上記したように、シールド３（図４Ａ参照）に対して設けられたアンロック操作部８は、回動支持部５と回動部６との離脱、即ち、係合状態からのロック解除ができるようにしたものであって、このアンロック操作部８を継続して押し続けたときにのみ、左右の回動部６と左右の回動支持部５とをそれぞれ係合状態から離脱状態へと切替可能にする。【００２８】
本実施形態では、このアンロック操作部８が小型のプレート４０をベースとする別部品として形成されたうえでシールド本体４１へ結合され、その全体でシールド３が形成されるものとした。このようにすることで、アンロック操作部８の製作容易化及び低コスト化を図り、また万が一、このアンロック操作部８、或いはシールド本体４１が破損などした場合の個別の交換を可能にしてある。なお、上記した回動部６のハウジング部２０や係止片２２も、このプレート４０に対して設けられたものとした。
アンロック操作部８は、プレート４０に対して２本の並行するスリット４２と、これら両スリット４２の一端部同士を繋ぐスリット連結部４３とでそれらによって片持ち状に囲まれる短冊状の弾性舌片４４を形成させ、この弾性舌片４４のスリット連結部４３寄りにシールド外面側で膨出するボタン４５を設けた構造としてある。【００２９】
２本のスリット４２は、着脱軸線Ｐを中心にその両側の均等位置でこの着脱軸線Ｐに平行する直線として設けられており、途中に、回動部６と回動支持部５とが相対回動する中心を通過するような位置関係としてある。またスリット連結部４３は、半楕円状の曲線で両スリット４２間を繋ぐように設けられている。なお、２本のスリット４２が直線であること、互いに平行していること、及びスリット連結部４３が半楕円状の曲線であること等は一実施例に過ぎず、特に限定されるものではない。
ボタン４５はその側面視形状がスリット連結部４３による半楕円状の曲線を底とする涙滴型に形成されたものとしてあり、このスリット連結部４３の近傍が最も小高く膨出するようになっている。この形状から、操作者に対してはこの最も膨出した部位を押し操作するように促されることになる。【００３０】
このようなことから、弾性舌片４４は、ヘルメット本体２に対してシールド３を開放位置へ跳ね上げたときにのみ、回動支持部５の係止舌片１２と重なり合うようになる。このとき係止舌片１２には係止片２２が係合している。そこでこの状態下でボタン４５を押し操作すると、弾性舌片４４が撓み変形を起こし、その先端側の裏面が係止舌片１２を押すようになるので、係止舌片１２と係止片２２との係合が解除されることになる。従って、ボタン４５を押したまま、シールド３をヘルメット本体２の前方斜め上方へ引き出すことができるようになるのである。
なお、ボタン４５を押し操作したとき、弾性舌片４４の撓み変形を効果的に起こさせ、もって係止舌片１２と係止片２２との係合を確実に解除させることができるようにするため、弾性舌片４４にはボタン４５の裏側で突出する操作突起４６が設けられている。【００３１】
ボタン４５が上記した涙滴型の形状を伴って膨出形成されていること、及び、このボタン４５の設けられた弾性舌片４４が着脱軸線Ｐに平行して形成されていることに伴い、このボタン４５は、図１に示すように、ヘルメット本体２に対してシールド３を閉じ位置へ降ろした状態のときに、正面から受ける空気抵抗を減少可能となる流面形として膨出形成されていることになる。同時にこのボタン４５は、ヘルメット本体２に対してシールド３を開放位置へ跳ね上げた状態ではヘルメット本体２に対してシールド３を着脱する方向性を指示する矢符形状を呈したものとして形成されていることになる。
また、ボタン４５は、回動部６の近傍ではあるものの、回動部６と回動支持部５とが相対回動する中心からは偏心して位置付けられていることになる。【００３２】
以上詳説したところから明らかなように、上記構成を具備して成る本発明のシールド取付構造において、シールド３は、ヘルメット本体２に対して開放位置へ跳ね上げた状態で着脱するものであり、またその着脱は、跳ね上げ状態にあるシールド３をヘルメット本体２から前方斜め上方へ引き出す操作で離脱可能とし、且つ分離状態にあるシールド３をヘルメット本体２へ向けて後方斜め下方へ押し込む操作で係合可能とする方向で行うようになっている。
図５Ａ，図５Ｂ，図５Ｃの順番で示すように、ヘルメット本体２からシールド３を外す場合、操作者はまずシールド３を開放位置へ跳ね上げるようにするが、ここでシールド３の着脱位置やシールド３の向きなどは、ボタン４５の形成位置や矢符形状の指し示す方向から容易に理解できる。【００３３】
次に操作者は、シールド３の左右両端部へ左右の手を添え、この左右の手の手指で各アンロック操作部８を押し操作し、そのままシールド３をヘルメット本体２の前方斜め上方へと引き出せばよい。このときシールド３に添えた手とアンロック操作部８を押し操作している手指とは、一緒にヘルメット本体２から離反させる動作となる。
そのため操作者は、手指を複雑且つ大股に開かせる等といった不自然な動きを要求されたものではなく、極めて自然な動きによってシールド３の着脱ができるものである。
なお、ヘルメット本体２に対してシールド３を開放位置へ跳ね上げた状態にしなければ、ボタン４５を押したところで弾性舌片４４は係止舌片１２とは不一致で、係止継続壁１３によって撓み変形が阻止されるので、係止片２２に対する係合の拘束状態は解除されない。従ってシールド３の着脱はできないことになり、誤った動作でシールド３を外してしまうことが防止される。【００３４】
一方、図５Ｃ，図５Ｂ，図５Ａの順番で示すように、ヘルメット本体２に対して分離状態にあるシールド３を取り付ける場合、操作者はシールド３をヘルメット本体２へ向けて後方斜め下方へ押し込むようにするだけでよい。このときも操作者は、シールド３の着脱位置やシールド３の向きなどをボタン４５の形成位置や矢符形状の指し示す方向から容易に理解できる。
シールド３を閉じた状態での使用下（ヘルメット１を被ってオートバイ等を運転する場合）において、ボタン４５は流面形であることの特性を活かし、風きり音の低減乃至解消が図られることになる。またシールド３のガタツキも防止されることになる。【００３５】
ところで、本発明は上記実施形態に限定されるものではなく、実施の形態に応じて適宜変更可能である。
例えば、ヘルメット１としての外形状や断面構造などは何ら限定されるものではなく、ジェット型等としてもよい。
【産業上の利用可能性】
【００３６】
本発明のヘルメットのシールド取付構造は、自動二輪車、自転車、レーシングカーなどの乗員の頭部保護用ヘルメットに利用して好適であるが、他の用途のヘルメットに利用しても同様な作用効果が得られる。
【図１】
0004839373.tif 000002
【図２】
0004839373.tif 000003
【図３Ａ】
0004839373.tif 000004
【図３Ｂ】
0004839373.tif 000005
【図４Ａ】
0004839373.tif 000006
【図４Ｂ】
0004839373.tif 000007
【図４Ｃ】
0004839373.tif 000008
【図５Ａ】
0004839373.tif 000009
【図５Ｂ】
0004839373.tif 000010
【図５Ｃ】
0004839373.tif 000011